(57)【要約】【課題】放送を視聴中にインターネットを閲覧する場合に放送内容を後から確認できる放送受信装置、放送受信方法及びプログラムを提供する。【解決手段】アンテナ・チューナ部１０１に入力された放送波は選局されて、その信号Ａ０１がＤＴＶ視聴部１０２に送ら、ＤＴＶ視聴部１０２でデコード処理され、その信号Ａ０３が表示部１０５により表示される。信号Ａ０３に含まれるデータ放送部分が表示部１０５に表示され、インターネットのＵＲＬをユーザが選択した場合、制御部１０６は通信部１０４を機能させ、ＤＴＶ視聴部１０２を停止させる。通信部１０４によりインターネットにアクセスして、その情報Ａ０５を表示部１０５に表示する。同時に制御部１０６は視聴中だったチャンネルの信号Ａ０２をＤＴＶ録画再生部１０３に録画させる。【選択図】図１
2013197769.tif 000002
【特許請求の範囲】
【請求項１】
デジタル放送を受信し、受信した放送信号に含まれるデータ放送部分からＷＥＢ閲覧が可能な放送受信装置であって、
受信した放送信号を視聴可能に処理する放送視聴部と、
受信した放送信号を録画再生する放送録画再生部と、
インターネットに接続してＷＥＢ閲覧を可能とする通信部と、
各部を制御する制御部と、
を備え、
前記制御部は、放送の視聴途中でＷＥＢ閲覧をする場合、前記通信部によりＷＥＢ閲覧をすると同時に、前記放送録画再生部により、ＷＥＢ閲覧をしている間の放送信号を録画させることを特徴とする放送受信装置。
【請求項２】
前記制御部は、ＷＥＢ閲覧を止めた場合、前記放送視聴部により、録画した放送信号を再生して、前記放送視聴部により視聴可能に処理することを特徴とする請求項１に記載の放送受信装置。
【請求項３】
ユーザが予め、
（１）放送の録画をしない、（２）放送の録画を行う、（３）放送の録画を行いタイムシフト再生を行う、のいずれかの場合を選択して設定しておき、
前記制御部は、その設定に従って処理を実行することを特徴とする請求項２に記載の放送受信装置。
【請求項４】
受信した放送信号を視聴可能に処理する放送視聴部と、受信した放送信号を録画再生する放送録画再生部と、インターネットに接続してＷＥＢ閲覧を可能とする通信部とを備え、デジタル放送を受信し、受信した放送信号に含まれるデータ放送部分からＷＥＢ閲覧が可能な放送受信装置の放送受信方法であって、
放送の視聴途中でＷＥＢ閲覧をする場合、前記通信部によりＷＥＢ閲覧をするステップと、
前記放送録画再生部により、ＷＥＢ閲覧をしている間の放送信号を録画させるステップと、
を有することを特徴とする放送方法。
【請求項５】
コンピュータに、請求項１に記載の放送受信方法の前記ステップを実行させるためのプログラム。
【発明の詳細な説明】
【技術分野】
【０００１】
本発明は、デジタル放送を視聴中に、データ放送部分からインターネットにアクセスする場合、視聴できなかった放送を後で確認できる放送受信装置、放送受信方法及びプログラムに関する。
【背景技術】
【０００２】
近年、携帯電話やスマートフォンなどの携帯端末装置では、ワンセグなどの放送を受信して番組を視聴できる機能を備えるものがある。このような携帯端末装置において、視聴途中に何らかの事情で視聴不能になる場合がある。
【０００３】
特許文献１の装置では、利用者がワイヤレスイヤホンを使用して放送を視聴途中に、ワイヤレスイヤホンと本体側が通信可能距離以上に離れて視聴が困難となる場合やユーザがイヤホンを外してしまった場合、自動的に放送を記録し、ワイヤレスイヤホンを利用可能となった時点で、タイムシフト再生を行うことが記載されている。こうして、視聴中の放送内容の見逃しや聞き逃しを防止する。
【先行技術文献】
【特許文献】
【０００４】
【特許文献１】特開２００９−４８４２号公報
【発明の概要】
【発明が解決しようとする課題】
【０００５】
ワンセグなどのデジタル放送を受信可能な放送受信装置では、放送を視聴途中で、表示されたデータ放送部分からインターネットにアクセスできる。データ放送は、静止画データ、テキストデータ、付加音声等を組合せ、番組の詳細情報などの様々な情報をマルチメディアコンテンツとして提供する。データ放送部分は、ページ記述言語であるＢＭＬ（Broadcast Markup Language）により、このコンテンツを画面の何処に、いつ表示するかが規定され、インターネットのＵＲＬを示すリンクや操作ボタンなどのユーザインターフェースなども規定される。
【０００６】
放送を視聴途中にデータ放送部分からインターネットにアクセスしてＷＥＢ閲覧をはじめると、携帯端末装置の場合は、表示画面が小さく、また消費電力を抑える必要があることから、インターネット情報を優先して表示し、放送信号をデコードして表示させる機能を中断するために、放送が視聴できなくなるという問題がある。また、表示画面を分割して、ＷＥＢ表示領域と放送表示領域とし、同時に表示したとしても、主体はＷＥＢ表示であり、このＷＥＢ表示領域を大きく確保すると、放送表示領域が小さすぎて、内容まで把握できなくなる。
この場合の対処方法については、特許文献１には全く記載がなく、対応できない。
【０００７】
本発明は、斯かる実情に鑑み、放送を視聴中にインターネットを閲覧する場合に放送内容を後から確認できる放送受信装置、放送受信方法及びプログラムを提供することを目的とする。
【課題を解決するための手段】
【０００８】
本発明は、デジタル放送を受信し、受信した放送信号に含まれるデータ放送部分からＷＥＢ閲覧が可能な放送受信装置であって、
受信した放送信号を視聴可能に処理する放送視聴部と、受信した放送信号を録画再生する放送録画再生部と、インターネットに接続してＷＥＢ閲覧を可能とする通信部と、各部を制御する制御部と、を備え、
前記制御部は、放送の視聴途中でＷＥＢ閲覧をする場合、前記通信部によりＷＥＢ閲覧をすると同時に、前記放送録画再生部により、ＷＥＢ閲覧をしている間の放送信号を録画させることを特徴とする。
【０００９】
また、本発明の放送受信装置は、前記制御部が、ＷＥＢ閲覧を止めた場合、前記放送視聴部により、録画した放送信号を再生して、前記放送視聴部により視聴可能に処理することを特徴とする。
【００１０】
また、本発明の放送受信装置は、ユーザが予め、（１）放送の録画をしない、（２）放送の録画を行う、（３）放送の録画を行いタイムシフト再生を行う、のいずれかの場合を選択して設定しておき、前記制御部は、その設定に従って処理を実行することを特徴とする。
【００１１】
また、本発明は、受信した放送信号を視聴可能に処理する放送視聴部と、受信した放送信号を録画再生する放送録画再生部と、インターネットに接続してＷＥＢ閲覧を可能とする通信部とを備え、デジタル放送を受信し、受信した放送信号に含まれるデータ放送部分からＷＥＢ閲覧が可能な放送受信装置の放送受信方法であって、
放送の視聴途中でＷＥＢ閲覧をする場合、前記通信部によりＷＥＢ閲覧をするステップと、前記放送録画再生部により、ＷＥＢ閲覧をしている間の放送信号を録画させるステップと、を有することを特徴とする。
【００１２】
本発明は、コンピュータに、請求項１に記載の放送受信方法の前記ステップを実行させるためのプログラムである。
【発明の効果】
【００１３】
本発明によれば、放送を視聴途中で、インターネットにアクセスしてＷＥＢ閲覧をした場合に、視聴中だった放送を録画するので、放送を見逃したりする事もなく、安心してＷＥＢ閲覧をすることができる。
【００１４】
また、ＷＥＢ閲覧が終了した場合に、録画した放送をタイムシフト再生するので、録画したことを忘れて放送を見逃してしまうことがない。
【００１５】
さらに、録画するか否か、タイムシフト再生をするか否かの設定を予めユーザが設定可能とするので、ユーザの意向を反映した処理ができる。
【図面の簡単な説明】
【００１６】
【図１】本発明に係るデジタルＴＶ放送の放送受信装置を示す全体ブロック図である。
【図２】放送受信装置の動作を示すフローチャートである。
【図３】ステップＳ３におけるＤＴＶ視聴処理１の具体的な処理を示すフローチャートである。
【図４】ステップＳ４におけるＤＴＶ視聴処理２の具体的な処理を示すフローチャートである。
【図５】ステップＳ５におけるＤＴＶ視聴処理３の具体的な処理を示すフローチャートである。
【発明を実施するための形態】
【００１７】
以下、本発明の実施の形態を添付図面を参照して説明する。
図１は、本発明に係るデジタルＴＶ放送の放送受信装置を示す全体ブロック図である。
この放送受信装置は、放送波を受信して選局を行うアンテナ・チューナ部１０１、チューナからの信号をデコードするＤＴＶ（デジタルＴＶ）視聴部１０２、ＳＤカードのような外部記憶装置にチューナからの信号を記録し再生するＤＴＶ録画再生部１０３、ＷＥＢ閲覧時にはインターネットにアクセスして通信を行う通信部１０４、ＤＴＶ視聴部１０２あるいは通信部１０４からの信号を表示する表示部１０５、各部を制御する制御部１０６を備える構成である。
【００１８】
次に、このデジタル放送受信装置の動作概略を説明する。
ユーザが番組チャンネルを入力操作部（図示していない）により選局すると、その選局指示は制御部１０６に入力される。制御部１０６は、制御信号Ａ０７をＤＴＶ視聴部１０２に送り機能させる。アンテナ・チューナ部１０１に入力された放送波は、ユーザ所望のチャンネルに選局されて、その信号Ａ０１がＤＴＶ視聴部１０２に送られる。ＤＴＶ視聴部１０２でデコード処理された信号Ａ０３は、表示部１０５により表示される。
【００１９】
信号Ａ０３に含まれるデータ放送部分が、番組放送と同時に表示部１０５に表示され、インターネットのＵＲＬなどをユーザが選択した場合、その選択信号は制御部１０６に入力される。制御部１０６は制御信号Ａ０８を通信部１０４に送り機能させる。制御部１０６は、制御信号Ａ０７によりＤＴＶ視聴部１０２の機能を停止する。
【００２０】
通信部１０４によりＵＲＬに従ってインターネットにアクセスして、その情報Ａ０５を表示部１０５に表示する。このとき、ユーザの選択によっては、制御部１０６は制御信号Ａ０６をＤＴＶ録画再生部１０３に送り、視聴中だった放送の信号Ａ０２をＤＴＶ録画再生部１０３に録画させる。さらに、ＷＥＢ閲覧が終った場合、ＤＴＶ録画再生部１０３に録画映像をタイムシフトさせて再生させる。
【００２１】
図２は、放送受信装置の動作を示すフローチャートである。
ステップＳ１では、ユーザが図示しない入力操作部を用いて、設定処理１〜３のうち一つを選ぶという初期設定を行う。処理１〜３の内容は以下の通りである。
（１）処理１：このＤＴＶ視聴処理１は、最も単純なケースで、ＤＴＶ視聴中にＷＥＢ閲覧をして、その後ＤＴＶ視聴に戻るケースである。ＤＴＶ視聴中は、制御部１０６によってＤＴＶ視聴部１０２が選択され、ＤＴＶ視聴が行われる。ＷＥＢ閲覧時には、制御部１０６によって通信部１０４が選択されＷＥＢ閲覧が行われる。
（２）処理２：このＤＴＶ視聴処理２は、ＷＥＢ閲覧中にそれまで視聴していたＤＴＶを録画する処理を加えたものである。ＷＥＢ閲覧時に、制御部１０６によってＤＴＶ録画再生部１０３と通信部１０４が選択され、ＤＴＶを録画しつつ、ＷＥＢ閲覧を行う。
（３）処理３：このＤＴＶ視聴処理３は、最も複雑なケースで、ＷＥＢ閲覧中にそれまで視聴していたＤＴＶを録画して、ＷＥＢ閲覧が終了したときに録画したＤＴＶをタイムシフト再生する処理を加えたものである。ＷＥＢ閲覧が終了すると、制御部１０６によってＤＴＶ録画再生部１０３とＤＴＶ視聴部１０２が選択され、録画データがタイムシフト再生される。
【００２２】
ステップＳ２において、制御部１０６は、上記処理１〜３のうち、どれがユーザにより設定されたかを確認し、その設定の処理を選択する。設定が処理１の場合は、ステップＳ３に行く。設定が処理２の場合は、ステップＳ４に行く。設定が処理３の場合は、ステップＳ５に行く。そして、それらの処理を実行する。
【００２３】
このように、予めユーザが処理設定をできるようにすることで、ユーザの意図に沿った処理が可能となる。
【００２４】
図３は、ステップＳ３におけるＤＴＶ視聴処理１の具体的な処理を示すフローチャートである。
ステップＳ１１では、表示部１０５によりユーザがＤＴＶ放送を視聴をしている。この状態では、制御部１０６からの制御信号Ａ０７がＤＴＶ視聴部１０２に入力されて、ＤＴＶ視聴部１０２が機能する。アンテナ・チューナ部１０１により選局された信号Ａ０１がＤＴＶ視聴部１０２に入り、ＤＴＶ視聴部１０２により視聴可能になるようデコード処理された信号Ａ０３が表示部１０５に表示される。この表示部１０５を見て、ユーザがＤＴＶ放送を視聴している。ユーザがさらにデータ放送部分を表示させる操作を行うと、その操作指示が制御部１０６に入力され、ＤＴＶ視聴部１０２は信号Ａ０１から抽出したＢＭＬに基づいて表示部１０５にデータ放送の信号Ａ０３を送り、表示部１０５にデータ放送部分を視聴中の放送と共に表示させる。
【００２５】
ステップＳ１２では、制御部１０６が、ユーザがＷＥＢ閲覧を指示したかを確認する。例えば、データ放送部分に示されたＵＲＬを選択すると、その選択信号が制御部１０６に入力され、制御部１０６はユーザからのＷＥＢ閲覧指示を確認する。ＷＥＢ閲覧の指示が確認できなければ、ＤＴＶ放送の視聴を継続する。
【００２６】
ＷＥＢ閲覧指示を確認すると、ステップ１３では、制御部１０６が、制御信号Ａ０７をＤＴＶ視聴部１０２におくり、その機能を停止させる。
ステップＳ１４では、制御部１０６が通信部１０４に制御信号Ａ０８を送り、通信部１０４を機能させる。通信部１０４がインターネットに接続してＵＲＬに基づき目的の情報を得ると、そのＷＥＢ情報Ａ０５を表示部１０５に送る。表示部１０５は、通信部１０４からのＷＥＢ情報Ａ０５に基づいてＷＥＢページを表示し、ユーザはＷＥＢ閲覧を行う。
【００２７】
ステップＳ１５では、制御部１０６が、ユーザからＷＥＢ閲覧終了する指示があるかを確認する。確認できるまでは、ステップＳ１４の処理を続ける。ユーザからＷＥＢ閲覧終了する指示があった場合は、ステップＳ１６に進む。
【００２８】
ステップ１６では、ＷＥＢ閲覧を終了する。すなわち、制御部１０６は、制御信号Ａ０８を通信部１０４に送り、機能を停止させる。
ステップＳ１７では、ＤＴＶ視聴を行う。すなわち、制御部１０６は、制御信号Ａ０７によりＤＴＶ視聴部１０２を再び機能させて、表示部１０５にＤＴＶ放送を表示させる。
【００２９】
ＤＴＶ視聴処理１は、従来通りの端末の使用法を表しており、見逃した放送部分は、視聴はできない。
【００３０】
図４は、ステップＳ４におけるＤＴＶ視聴処理２の具体的な処理を示すフローチャートである。
ステップＳ２１では、表示部１０５によりユーザがＤＴＶ放送を視聴をしている。この状態では、制御部１０６からの制御信号Ａ０７がＤＴＶ視聴部１０２に入力されて、ＤＴＶ視聴部１０２が機能する。アンテナ・チューナ部１０１により選局された信号Ａ０１がＤＴＶ視聴部１０２に入り、ＤＴＶ視聴部１０２によりデコードされた信号Ａ０３が表示部１０５に表示される。この表示部１０５を見ることによって、ユーザがＤＴＶ放送を視聴している。ユーザがさらにデータ放送部分を表示させる操作を行うと、その操作指示が制御部１０６に入力され、ＤＴＶ視聴部１０２は信号Ａ０１から抽出したＢＭＬに基づいて表示部１０５にデータ放送の信号Ａ０３を送り、表示部１０５にデータ放送部分を視聴放送と共に表示させる。
【００３１】
ステップＳ２２では、制御部１０６が、ユーザがＷＥＢ閲覧を指示したかを確認する。例えば、データ放送部分に示されたＵＲＬを選択すると、その選択信号が制御部１０６に入力され、制御部１０６はユーザからのＷＥＢ閲覧指示を確認する。ＷＥＢ閲覧の指示が確認できなければ、ＤＴＶ放送の視聴を継続する。
【００３２】
ステップ２３では、制御部１０６が、ＷＥＢ閲覧指示を確認すると、制御信号Ａ０７をＤＴＶ視聴部１０２におくり、その機能を停止させる。
ステップＳ２４では、ＷＥＢ閲覧をする共に、その間のＤＴＶ放送の録画を行う。すなわち、制御部１０６が通信部１０４に制御信号Ａ０８を送り、通信部１０４を機能させて、通信部１０４がインターネットに接続してＵＲＬに基づき目的の情報を得ると、そのＷＥＢ情報Ａ０５を表示部１０５に送る。表示部１０５は、通信部１０４からのＷＥＢ情報Ａ０５に基づいてＷＥＢページを表示し、ユーザはＷＥＢ閲覧を行う。さらに制御部１０６は、制御信号Ａ０６をＤＴＶ録画再生部１０３に送り機能させる。ＤＴＶ録画再生部１０３は、ＷＥＢ閲覧の間、アンテナ・チューナ部１０１の選局された信号Ａ０２を録画する。
【００３３】
ステップＳ２５では、制御部１０６が、ユーザからＷＥＢ閲覧終了する指示があるかを確認する。確認できるまでは、ステップＳ１４の処理を続ける。ユーザによるＷＥＢ閲覧終了する指示があった場合は、ステップＳ１６に進む。
【００３４】
ステップ２６では、ＷＥＢ閲覧を終了するとともに、ＤＴＶ録画も終了する。すなわち、制御部１０６は、制御信号Ａ０８を通信部１０４に送り、機能を停止させ、制御信号Ａ０６をＤＴＶ録画再生部１０３に送り、機能を停止させる。
【００３５】
ステップＳ２７では、ＤＴＶ視聴を行う。すなわち、制御部１０６は、制御信号Ａ０７によりＤＴＶ視聴部１０２を再び機能させて、表示部１０５にＤＴＶ放送を表示させてＤＴＶ放送を視聴する。
【００３６】
ＷＥＢ閲覧中のＤＴＶ放送の録画映像は、ユーザの所望の時間にＤＴＶ録画再生部１０３に再生処理させる。つまり、ユーザの再生指示を受けて、制御部１０６は、制御信号Ａ０６をＤＴＶ録画再生部１０３に送り、再生処理をさせる。そして、制御部１０６は、制御信号Ａ０７をＤＴＶ視聴部１０２に送り、ＤＴＶ録画再生部１０３によって再生された信号Ａ０４をデコード処理させて、表示部１０５に表示させる。
【００３７】
こうして、ＷＥＢ閲覧をした場合には、その間の視聴していた放送を録画するので、後でユーザがそれを視聴でき、放送を見逃すこともなく、安心してＷＥＢ閲覧を行うことができる。
【００３８】
図５は、ステップＳ５におけるＤＴＶ視聴処理３の具体的な処理を示すフローチャートである。
ステップＳ３１〜Ｓ３６は、図４のステップＳ２１〜Ｓ２６と同じなので説明は省略する。
ステップＳ３７では、ＷＥＢ閲覧終了後、録画したＤＴＶ放送映像をタイムシフト再生する。すなわち、制御部１０６は、ＷＥＢ閲覧が終了すると、直ちに制御信号Ａ０６をＤＴＶ録画再生部１０３に送り、録画した映像の再生をさせる（タイムシフト再生）。また、制御部１０６は、制御信号Ａ０７をＤＴＶ視聴部１０２に送り、ＤＴＶ録画再生部１０３によって再生された信号Ａ０４をデコード処理させて、表示部１０５に表示させる。
【００３９】
こうして、ＷＥＢ閲覧が終了した時点で、録画した放送をタイムシフト再生するので、録画したことを忘れて放送を見逃してしまうことがない。
【００４０】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００４１】
上記実施形態では、ＤＴＶ視聴部と通信部を切り替えて、いずれか一方を表示するが、ＷＥＢ閲覧のときに両方を機能させて、２画面同時表示としてもよい。従来技術で述べたように、２画面表示としても、放送画面は非常に小さく、ユーザが十分に満足な視聴ができる訳ではなく、本発明は上記に述べたような効果が得られる。
【００４２】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００４３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【符号の説明】
【００４４】
１０１  アンテナ・チューナ部
１０２  ＤＴＶ視聴部
１０３  ＤＴＶ録画再生部
１０４  通信部
１０５  表示部
１０６  制御部
【図１】
2013197769.tif 000003
【図２】
2013197769.tif 000004
【図３】
2013197769.tif 000005
【図４】
2013197769.tif 000006
【図５】
2013197769.tif 000007